(57)【特許請求の範囲】
【請求項１】
複数の蓄電部材からなる組電池の電圧を前記蓄電部材毎に測定する組電池電圧測定装置であって、
個々の前記蓄電部材の電荷を充電する電荷中継コンデンサと、
前記充電が行われる際、前記電荷中継コンデンサの飽和推定時間に相当する期間でのオンによって個々の前記蓄電部材の電極端子を前記電荷中継コンデンサの両端に接続する高圧側スイッチ手段と、
前記高圧側スイッチ手段がオフされた後、オンによって前記電荷中継コンデンサの両端に接続される低圧側スイッチ手段と、
前記高圧側スイッチ手段と前記低圧側スイッチ手段のオン／オフのタイミングを制御し、前記低圧側スイッチ手段を介して得られる前記電荷中継コンデンサの両端の電位差を演算処理して個々の前記蓄電部材の電圧を検出する制御手段とを備え、
前記制御手段は、電源起動時において、前記高圧側スイッチ手段のオン時間を前記飽和推定時間とその飽和推定時間より短い時間とで制御し、それぞれにおいて検出される前記蓄電部材の電圧からその蓄電部材の真の電圧を得るための補正係数を求めた後、その求めた補正係数を用い前記飽和推定時間より短い時間に応じて前記電位差を演算処理し、
さらに、前記制御手段は、前記高圧側スイッチ手段のオン時間を前記飽和推定時間より短い時間で種々制御し、それぞれにおいて検出される前記蓄電部材の電圧に応じてその蓄電部材の真の電圧を得るための補正係数を求め、その求めた補正係数を平均化した平均値を用い、前記飽和推定時間より短い時間に応じて前記電位差を演算処理する
ことを特徴とする組電池電圧測定装置。
【請求項２】
前記制御手段は、前記補正係数を用い前記飽和推定時間より短い時間に応じて行う前記電位差の演算処理を電源がオフされるまでの間、前記複数の蓄電部材に対し順次実行することを特徴とする請求項１に記載の組電池電圧測定装置。
【請求項３】
前記補正係数は、前記蓄電部材毎に求められるものであることを特徴とする請求項１又は２に記載の組電池電圧測定装置。
【請求項４】
複数の蓄電部材からなる組電池の電圧を前記蓄電部材毎に測定する組電池電圧測定方法であって、
個々の前記蓄電部材の電荷が電荷中継コンデンサに充電される際、高圧側スイッチ手段を前記電荷中継コンデンサの飽和推定時間に相当する期間でオンし、個々の前記蓄電部材の電極端子が前記電荷中継コンデンサの両端に接続されるように制御する工程と、
前記高圧側スイッチ手段がオフされた後、低圧側スイッチ手段をオンし、前記電荷中継コンデンサの両端に接続されるように制御する工程と、
前記低圧側スイッチ手段を介して得られる前記電荷中継コンデンサの両端の電位差を演算処理して個々の前記蓄電部材の電圧を検出する工程とを有し、
電源起動時において、前記高圧側スイッチ手段のオン時間を前記飽和推定時間とその飽和推定時間より短い時間とで制御し、それぞれにおいて検出される前記蓄電部材の電圧からその蓄電部材の真の電圧を得るための補正係数を求めた後、その求めた補正係数を用い前記飽和推定時間より短い時間に応じて前記電位差を演算処理し、
さらに、前記高圧側スイッチ手段のオン時間を前記飽和推定時間より短い時間で種々制御し、それぞれにおいて検出される前記蓄電部材の電圧に応じてその蓄電部材の真の電圧を得るための補正係数を求め、その求めた補正係数を平均化した平均値を用い、前記飽和推定時間より短い時間に応じて前記電位差を演算処理する
ことを特徴とする組電池電圧測定方法。
【請求項５】
前記補正係数を用い前記飽和推定時間より短い時間に応じて行う前記電位差の演算処理を電源がオフされるまでの間、前記複数の蓄電部材に対し順次実行することを特徴とする請求項４に記載の組電池電圧測定方法。
【請求項６】
前記補正係数は、前記蓄電部材毎に求められるものであることを特徴とする請求項４又は５に記載の組電池電圧測定方法。
【発明の詳細な説明】
【技術分野】
【０００１】
本発明は、たとえば車両用の複数の蓄電部材からなる組電池の電圧を測定する組電池電圧測定装置及び組電池電圧測定方法に関する。
【背景技術】
【０００２】
たとえば、ハイブリッド自動車、電気自動車、燃料電池車等では、二次電池や燃料電池からなる組電池を搭載している。その組電池は、互いに直列接続した多数の電池モジュールにより構成されている。
【０００３】
ところで、各電池モジュールの電圧測定にあっては、各電池モジュールの電位が高く、かつそれぞれの電位が異なるために、各電池モジュールを出力側の差動電圧検出回路の基準電位から絶縁可能なフライングキャパシタ式が適している。
【０００４】
図６〜図８は、このようなフライングキャパシタ式により組電池の電圧を測定する場合の組電池電圧測定装置による測定手順を示す図である。まず、図６に示すように、測定対象の蓄電部材１の電極端子に高圧側ＳＷ（スイッチ）Ｈ１１，Ｈ１２を接続し、電荷中継コンデンサＣ１に電荷を充電する。
【０００５】
次いで、図７に示すように、電荷中継コンデンサＣ１に十分に電荷が貯まった時点で高圧側ＳＷ（スイッチ）Ｈ１１，Ｈ１２を開放し、低圧側ＳＷ（スイッチ）Ｌ１１，Ｌ１２を接続し、アナログデジタル変換Ｉ／Ｆ４０を介してマイコン４１により蓄電部材電圧を演算処理によって検出する。その後、コンデンサ電荷放電回路４２を介して電荷中継コンデンサＣ１の電荷を放電し、併せて低圧側ＳＷ（スイッチ）Ｌ１１，Ｌ１２を開放する。
【０００６】
次いで、図８に示すように、測定対象の蓄電部材２の電極端子に高圧側ＳＷ（スイッチ）Ｈ２１，Ｈ２２を接続し、電荷中継コンデンサＣ１に電荷を充電する。
【０００７】
電荷中継コンデンサＣ１に十分に電荷が貯まった時点で、上記同様に、高圧側ＳＷ（スイッチ）Ｈ２１，Ｈ２２を開放し、低圧側ＳＷ（スイッチ）Ｌ１１，Ｌ１２を接続し、アナログデジタル変換Ｉ／Ｆ４０を介してマイコン４１により蓄電部材電圧を演算処理によって検出する。
【０００８】
その後、コンデンサ電荷放電回路４２を介して電荷中継コンデンサＣ１の電荷を放電し、併せて低圧側ＳＷ（スイッチ）Ｌ１１，Ｌ１２を開放する。このような手順を蓄電部材３以降に対しても順次行う。そして、全ての蓄電部材電圧を測定する。
【０００９】
また、フライングキャパシタ式により組電池の電圧を測定するものとして、特許文献１では、各電池モジュールの電圧が電流制限抵抗を通じて順次フライングキャパシタに読み込まれ、出力側サンプリングスイッチを通じて差動電圧検出回路に出力されると、データ処理回路により、所定の電池モジュールの電圧を読み込んだフライングキャパシタの電位差からなる計測データが異なるタイミングで複数回読み込まれて電圧減衰特性が演算され、この電圧減衰特性に基づいて電池モジュールの電圧がフライングキャパシタに読み込まれた直後の電位差が推定されるようにしたフライングキャパシタ式組電池電圧検出装置を提案している。
【特許文献１】特開２００２−２９１１６７号公報
【発明の開示】
【発明が解決しようとする課題】
【００１０】
ところで、上述の図６〜図７に示した電圧測定方法では、電荷中継コンデンサＣ１からアナログデジタル変換Ｉ／Ｆ４０へ安定した電荷を供給する必要があるため、電荷中継コンデンサＣ１の容量を大きくする必要があり、しかも高圧車両のように蓄電部材の数量が多い場合では全ての蓄電部材の電圧測定に時間がかかるという問題があった。
【００１１】
また、上述した特許文献１でも同様に、フライングキャパシタから差動電圧検出回路等へ安定した電荷を供給する必要があるため、フライングキャパシタの容量を大きくする必要があり、しかも高圧車両のように電池モジュールの数量が多い場合では全ての電池モジュールの電圧測定に時間がかかるという問題があった。
【００１２】
また、上述の図６〜図７に示した電圧測定方法及び特許文献１では、実車動作状態において、車両負荷補機の変動による動的な電圧監視に対して遅延影響が大きく、全体の正確な電圧や個別の電圧状態が把握できないという問題もあった。
【００１３】
本発明は、このような状況に鑑みてなされたものであり、上記問題点を解決することができる組電池電圧測定装置及び組電池電圧測定方法を提供することを目的とする。
【課題を解決するための手段】
【００１４】
本発明の組電池電圧測定装置は、複数の蓄電部材からなる組電池の電圧を前記蓄電部材毎に測定する組電池電圧測定装置であって、個々の前記蓄電部材の電荷を充電する電荷中継コンデンサと、前記充電が行われる際、前記電荷中継コンデンサの飽和推定時間に相当する期間でのオンによって個々の前記蓄電部材の電極端子を前記電荷中継コンデンサの両端に接続する高圧側スイッチ手段と、前記高圧側スイッチ手段がオフされた後、オンによって前記電荷中継コンデンサの両端に接続される低圧側スイッチ手段と、前記高圧側スイッチ手段と前記低圧側スイッチ手段のオン／オフのタイミングを制御し、前記低圧側スイッチ手段を介して得られる前記電荷中継コンデンサの両端の電位差を演算処理して個々の前記蓄電部材の電圧を検出する制御手段とを備え、前記制御手段は、電源起動時において、前記高圧側スイッチ手段のオン時間を前記飽和推定時間とその飽和推定時間より短い時間とで制御し、それぞれにおいて検出される前記蓄電部材の電圧からその蓄電部材の真の電圧を得るための補正係数を求めた後、その求めた補正係数を用い前記飽和推定時間より短い時間に応じて前記電位差を演算処理し、さらに、前記制御手段は、前記高圧側スイッチ手段のオン時間を前記飽和推定時間より短い時間で種々制御し、それぞれにおいて検出される前記蓄電部材の電圧に応じてその蓄電部材の真の電圧を得るための補正係数を求め、その求めた補正係数を平均化した平均値を用い、前記飽和推定時間より短い時間に応じて前記電位差を演算処理することを特徴とする。
また、前記制御手段は、前記補正係数を用い前記飽和推定時間より短い時間に応じて行う前記電位差の演算処理を電源がオフされるまでの間、前記複数の蓄電部材に対し順次実行するようにすることができる。
また、前記補正係数は、前記蓄電部材毎に求められるものであるようにすることができる。
本発明の組電池電圧測定方法は、複数の蓄電部材からなる組電池の電圧を前記蓄電部材毎に測定する組電池電圧測定方法であって、個々の前記蓄電部材の電荷が電荷中継コンデンサに充電される際、高圧側スイッチ手段を前記電荷中継コンデンサの飽和推定時間に相当する期間でオンし、個々の前記蓄電部材の電極端子が前記電荷中継コンデンサの両端に接続されるように制御する工程と、前記高圧側スイッチ手段がオフされた後、低圧側スイッチ手段をオンし、前記電荷中継コンデンサの両端に接続されるように制御する工程と、
前記低圧側スイッチ手段を介して得られる前記電荷中継コンデンサの両端の電位差を演算処理して個々の前記蓄電部材の電圧を検出する工程とを有し、電源起動時において、前記高圧側スイッチ手段のオン時間を前記飽和推定時間とその飽和推定時間より短い時間とで制御し、それぞれにおいて検出される前記蓄電部材の電圧からその蓄電部材の真の電圧を得るための補正係数を求めた後、その求めた補正係数を用い前記飽和推定時間より短い時間に応じて前記電位差を演算処理し、さらに、前記高圧側スイッチ手段のオン時間を前記飽和推定時間より短い時間で種々制御し、それぞれにおいて検出される前記蓄電部材の電圧に応じてその蓄電部材の真の電圧を得るための補正係数を求め、その求めた補正係数を平均化した平均値を用い、前記飽和推定時間より短い時間に応じて前記電位差を演算処理することを特徴とする。
また、前記補正係数を用い前記飽和推定時間より短い時間に応じて行う前記電位差の演算処理を電源がオフされるまでの間、前記複数の蓄電部材に対し順次実行するようにすることができる。
また、前記補正係数は、前記蓄電部材毎に求められるものであるようにすることができる。
本発明の組電池電圧測定装置及び組電池電圧測定方法では、制御手段により、電源起動時において、高圧側スイッチ手段のオンタイミングを電荷中継コンデンサの飽和推定時間とその飽和推定時間より短い時間とで制御し、それぞれにおいて検出される蓄電部材の電圧からその蓄電部材の真の電圧を得るための補正係数を求めた後、その求めた補正係数を用い飽和推定時間より短い時間に応じて電位差を演算処理するようにしたので、補正係数を求めた後では電荷中継コンデンサの飽和推定時間より短い時間で複数の蓄電部材の電圧を測定することができる。
【発明の効果】
【００１５】
本発明の組電池電圧測定装置及び組電池電圧測定方法によれば、補正係数を求めた後では電荷中継コンデンサの飽和推定時間より短い時間で複数の蓄電部材の電圧を測定することができることから、電荷中継コンデンサの容量を必要最小限にでき、しかも蓄電部材の数量が多い場合でもそれらの電圧測定を短時間で行うことができ、車両負荷補機の変動による動的な電圧監視に対しても遅延影響を少なくでき、全体の正確な電圧や個別の電圧状態を確実に把握することができる。
【発明を実施するための最良の形態】
【００１６】
本実施形態では、制御手段により、電源起動時において、高圧側スイッチ手段のオンタイミングを電荷中継コンデンサの飽和推定時間とその飽和推定時間より短い時間とで制御し、それぞれにおいて検出される蓄電部材の電圧からその蓄電部材の真の電圧を得るための補正係数を求めた後、その求めた補正係数を用い飽和推定時間より短い時間に応じて電位差を演算処理するようにし、補正係数を求めた後では電荷中継コンデンサの飽和推定時間より短い時間で複数の蓄電部材の電圧を測定することで、電荷中継コンデンサの容量を必要最小限にし、しかも蓄電部材の数量が多い場合でもそれらの電圧測定を短時間で行い、車両負荷補機の変動による動的な電圧監視に対しても遅延影響を少なくし、全体の正確な電圧や個別の電圧状態を確実に把握するようにした。
【実施例】
【００１７】
図１は、本発明の組電池電圧測定装置の一実施例に係る基本構成を説明するための図、図２〜５は、図１の組電池電圧測定装置による組電池電圧測定方法を説明するための図である。なお、以下に説明する図において、図６〜図８と共通する部分には同一符号を付し重複する説明を適宜行うものとする。
【００１８】
図１に示すように、組電池電圧測定装置は、伝送路抵抗Ｒａ，Ｒｂ、高圧側ＳＷ（スイッチ）Ｈ１、電荷中継コンデンサＣ１、低圧側ＳＷ（スイッチ）Ｌ１、アナログデジタル変換Ｉ／Ｆ４０、マイコン４１Ａ、コンデンサ電荷放電回路４２を備えている。
【００１９】
なお、本実施例での組電池電圧測定装置の構成は、基本的に図６〜図８に示したものと同じであるが、制御手段としてのマイコン４１Ａによる蓄電部材電圧を検出するための演算処理が従来とは異なっている。
【００２０】
すなわち、マイコン４１Ａは、高圧側スイッチ手段としての高圧側ＳＷ（スイッチ）Ｈ１を切り替え時間であるｔ１で制御し、低圧側スイッチ手段としての低圧側ＳＷ（スイッチ）Ｌ１を切り替え時間であるｔ２で制御するとともに、車両電源起動時の初回測定時のみ各蓄電部材１，２，３・・・の補正係数を求め、車両電源起動時以降はその補正係数を用いて各蓄電部材１，２，３・・・の電圧を測定する。なお、切り替えタイミングであるｔ１，ｔ２、補正係数については後述する。
【００２１】
次に、組電池電圧測定方法について説明する。
まず、基本的な組電池電圧測定方法では、マイコン４１Ａからのonの切り替えタイミングであるｔ１により、図２（ｂ）のように高圧側ＳＷ（スイッチ）Ｈ１がonとなり、蓄電部材１の電荷が電荷中継コンデンサＣ１に充電される。
【００２２】
ここで、蓄電部材１から伝送路抵抗Ｒａ，Ｒｂを介して電荷中継コンデンサＣ１に充電する際の回路時定数をＴ｛Ｃ１・（Ｒａ＋Ｒｂ）｝とすると、図２（ａ）のように切り替えタイミングであるｔ１のon時間を１０Ｔ程度とすることで、９９．９９％程度まで電荷中継コンデンサＣ１への充電が可能となる。ここで、１０Ｔは、電荷中継コンデンサＣ１の飽和推定時間に相当する。
【００２３】
そこで、Ｔ｛Ｃ１・（Ｒａ＋Ｒｂ）｝よりも十分長い時間だけ経過した後、マイコン４１Ａからの切り替えタイミングであるｔ１をoffとし、高圧側ＳＷ（スイッチ）Ｈ１をoffさせる。この場合、高圧側と定圧側との絶縁を確保するために、低圧側ＳＷ（スイッチ）Ｌ１はoff のままとしておく。
【００２４】
次いで、電荷中継コンデンサＣ１の両端の電位差を測定するために、マイコン４１Ａからのonの切り替えタイミングであるｔ２により、図２（ｃ）のように低圧側ＳＷ（スイッチ）Ｌ１をonする。そして、アナログデジタル変換Ｉ／Ｆ４０を介してマイコン４１Ａによる電荷中継コンデンサＣ１の両端の電位差の演算処理により、蓄電部材電圧が検出される。
【００２５】
その後、マイコン４１Ａの制御によりコンデンサ電荷放電回路４２を介して電荷中継コンデンサＣ１の電荷が放電され、併せてマイコン４１Ａからのoff の切り替えタイミングであるｔ２により、低圧側ＳＷ（スイッチ）Ｌ１がoff される。
【００２６】
以降、蓄電部材２から順に上記同様の手順で、蓄電部材電圧が演算処理によって検出される。
【００２７】
ここで、マイコン４１Ａによるアナログデジタル変換Ｉ／Ｆ４０を介して得られる読み込み値をＶ（ｔ）とすると、
Ｖ（ｔ）＝Ｖ0 ｛１−ｅ＾（−１０Ｔ／Ｔ）｝≒Ｖ0
となる。ただし、Ｖ0 は各蓄電部材１，２，３・・・の真の電圧値である。
【００２８】
また、図２（ｄ）のように切り替えタイミングであるｔ１のon時間を、電荷中継コンデンサＣ１の飽和推定時間より十分短いＴとし、図２（ｅ）のように高圧側ＳＷ（スイッチ）Ｈ１をonさせ、その後、図２（ｆ）のようにマイコン４１Ａからのonの切り替えタイミングであるｔ２により、低圧側ＳＷ（スイッチ）Ｌ１をonさせる。
【００２９】
この場合、アナログデジタル変換Ｉ／Ｆ４０を介してマイコン４１Ａにより蓄電部材電圧を演算処理によって検出したときのＶ0 は、
Ｖ0 ≒Ｖ（ｔ）／（１−ｅ＾−１）＝Ｖ（ｔ）／０．６３２
となる。
【００３０】
本実施例では、車両電源起動時において、各蓄電部材１，２，３・・・での切り替えタイミングであるｔ１のon時間を種々変更して電荷中継コンデンサＣ１の充電時間を種々変更し、それぞれにおいて得られる各蓄電部材１，２，３・・・毎の複数の蓄電部材電圧から各蓄電部材１，２，３・・・毎の補正係数を求めるようにしている。各蓄電部材１，２，３・・・毎の補正係数を求めるに際しては、測定精度を高めるために、電荷中継コンデンサＣ１の充電時間を少なくとも２種以上とすることが好ましい。
【００３１】
すなわち、図３に示すように、電荷中継コンデンサＣ１の充電時間をＴとした場合、
Ｖ（ｔ＝Ｔ）＝Ｖ0 ｛（１−ｅ＾（−Ｔ／Ｔ）｝≒Ｖ0 ・０．６３２
となる。
【００３２】
また、電荷中継コンデンサＣ１の充電時間を２Ｔとした場合、
Ｖ（ｔ＝２Ｔ）＝Ｖ0 ｛（１−ｅ＾（−２Ｔ／Ｔ）｝≒Ｖ0 ・０．８６５
となる。
【００３３】
ちなみに、電荷中継コンデンサＣ１の充電時間を１０Ｔとした場合、
Ｖ（ｔ＝１０Ｔ）＝Ｖ0 ｛（１−ｅ＾（−１０Ｔ／Ｔ）｝≒Ｖ0 
となる。
【００３４】
そこで、電荷中継コンデンサＣ１の充電時間をＴとした場合の補正係数ｋは、以下の式より導き出すことができる。
Ｖ0 ＝Ｖ（ｔ＝ｔ１（on））／｛１−ｅ＾（−ｔ１（on）／Ｔ）｝・ｋ
【００３５】
ここで、ｔ１（on）は、上述したように、電荷中継コンデンサＣ１の飽和推定時間より短い時間である。また、この補正係数ｋは、たとえば電荷中継コンデンサＣ１の充電時間をＴとした場合と、電荷中継コンデンサＣ１の充電時間を２Ｔとした場合の平均値である。なお、補正係数ｋは、電荷中継コンデンサＣ１の充電時間をＴ，２Ｔよりさらに複数とすることで、精度の高い値とすることができる。
【００３６】
次に、組電池電圧測定方法の具体例について説明する。
まず、図４に示すように、車両電源がonされると（ステップＳ１）、マイコン４１Ａによる初期処理が実行される（ステップＳ２）。ここでは、図５（ａ）に示すように、蓄電部材１における処理周期Ａ１であるｔ＝１０ＴでのＶ（１０Ｔ）≒Ｖ0 が計測され、処理周期Ａ２であるｔ＝２ＴでのＶ（２Ｔ）≒Ｖ0・０．８６５ が計測され、処理周期Ｂであるｔ＝ＴでのＶ（Ｔ）≒Ｖ0・０．６３２ が計測され、その後、蓄電部材１の補正係数ｋ１が算出される。
【００３７】
次いで、蓄電部材２における処理周期Ａ１であるｔ＝１０ＴでのＶ（１０Ｔ）≒Ｖ0 が計測され、処理周期Ａ２であるｔ＝２ＴでのＶ（２Ｔ）≒Ｖ0・０．８６５ が計測され、処理周期Ｂであるｔ＝ＴでのＶ（Ｔ）≒Ｖ0・０．６３２ が計測され、その後、蓄電部材２の補正係数ｋ２が算出される。
【００３８】
以降、同様にして蓄電部材ｎまでの処理周期Ａ１であるｔ＝１０ＴでのＶ（１０Ｔ）≒Ｖ0 が計測され、処理周期Ａ２であるｔ＝２ＴでのＶ（２Ｔ）≒Ｖ0・０．８６５ が計測され、処理周期Ｂであるｔ＝ＴでのＶ（Ｔ）≒Ｖ0・０．６３２ が計測され、その後、蓄電部材ｎまでの補正係数ｋｎが算出される。なお、このような補正係数ｋｎの算出は、車両電源がonされた初回のみ実行されるものである。
【００３９】
このようにして蓄電部材ｎまでの個々の補正係数ｋｎが算出された後、図５（ｂ）に示すような通常処理が実行される（ステップＳ３）。ここでは、まず蓄電部材１の計測が行われる。すなわち、処理周期Ｂであるｔ＝ＴでのＶ（Ｔ）が計測され、演算処理により、Ｖ0 ＝Ｖ（Ｔ）／（０．６３２・ｋ１）が求められる。
【００４０】
次いで、蓄電部材２の計測が同様にして行われ、処理周期Ｂであるｔ＝ＴでのＶ（Ｔ）が計測された後、演算処理により、Ｖ0 ＝Ｖ（Ｔ）／（０．６３２・ｋ２）が求められる。
【００４１】
以降、蓄電部材ｎまでの計測が同様にして行われ、処理周期Ｂであるｔ＝ＴでのＶ（Ｔ）が計測された後、演算処理により、Ｖ0 ＝Ｖ（Ｔ）／（０．６３２・ｋｎ）が求められる。
【００４２】
蓄電部材１〜蓄電部材ｎまでの計測とＶ0 の演算処理の１順目を終了した後、所定時間経過後に、上記同様の通常処理により蓄電部材１〜蓄電部材ｎまでの計測とＶ0 の演算処理の２順目が実行される。以降、同様にして、車両電源がoff されるまでの間、蓄電部材１〜蓄電部材ｎまでの計測とＶ0 の演算処理とが繰り返し実行される。
【００４３】
このように、本実施例では、マイコン４１Ａにより、車両電源起動時において、高圧側ＳＷ（スイッチ）Ｈ１のオンタイミングを電荷中継コンデンサＣ１の飽和推定時間とその飽和推定時間より短い時間とで制御し、それぞれにおいて検出される蓄電部材１，２，３・・・の電圧からそれぞれの蓄電部材１，２，３・・・の真の電圧を得るための補正係数ｋ１〜ｋｎを求めた後、その求めた補正係数ｋ１〜ｋｎを用い、飽和推定時間より短い時間に応じて電位差を演算処理するようにし、補正係数ｋ１〜ｋｎを求めた後では電荷中継コンデンサＣ１の飽和推定時間より短い時間で複数の蓄電部材１，２，３・・・の電圧を測定するようにしたので、電荷中継コンデンサＣ１の容量を必要最小限にでき、しかも蓄電部材１，２，３・・・の数量が多い場合でもそれらの電圧測定を短時間で行うことができ、車両負荷補機の変動による動的な電圧監視に対しても遅延影響を少なくでき、全体の正確な電圧や個別の電圧状態を確実に把握することができる。
【産業上の利用可能性】
【００４４】
車両用組電池の電圧の測定に限らず、車両用以外の組電池の電圧の測定においても適用可能である。
【図面の簡単な説明】
【００４５】
【図１】本発明の組電池電圧測定装置の一実施例に係る基本構成を説明するための図である。
【図２】図１の組電池電圧測定装置による組電池電圧測定方法を説明するための図である。
【図３】図１の組電池電圧測定装置による組電池電圧測定方法を説明するための図である。
【図４】図１の組電池電圧測定装置による制御処理手順を示すフローチャートである。
【図５】図１の組電池電圧測定装置による具体的な組電池電圧測定方法を説明するための図である。
【図６】従来の組電池電圧測定装置を説明するための図である。
【図７】図６の組電池電圧測定装置による組電池電圧測定方法を説明するための図である。
【図８】図６の組電池電圧測定装置による組電池電圧測定方法を説明するための図である。
【符号の説明】
【００４６】
１，２，３・・・  蓄電部材
４０  アナログデジタル変換Ｉ／Ｆ
４１Ａ  マイコン
４２  コンデンサ電荷放電回路
Ｃ１  電荷中継コンデンサ
Ｈ１  高圧側ＳＷ（スイッチ）（高圧側スイッチ手段）
ｋ１〜ｋｎ  補正係数
Ｌ１  低圧側ＳＷ（スイッチ）（低圧側スイッチ手段）
Ｒａ，Ｒｂ  伝送路抵抗
【図１】
0004508977.tif 000002
【図２】
0004508977.tif 000003
【図３】
0004508977.tif 000004
【図４】
0004508977.tif 000005
【図５】
0004508977.tif 000006
【図６】
0004508977.tif 000007
【図７】
0004508977.tif 000008
【図８】
0004508977.tif 000009